(57)【要約】【課題】ランナーバーを有しない係止片ユニットを使用して係止片取付装置２０を使用して所定のラベル類５を所定の商品に係止させる際に、簡易な構成と操作が容易な係止片取付装置２０を提供する。【解決手段】挿通部２と保持部３とがファイバー部４の両端部に設けられている係止片が複数個相互に隣接して並列的に配列され、少なくとも相互に隣接する当該挿通部２間同士と当該保持部３間同士が連結部材７、８を介して相互に接合されることにより、接続バー部を使用することなく、形成された係止片ユニット６００を使用するための係止片取付装置２であって、当該接続バー部を有しない当該係止片ユニット６００の一方の端部が、当該挿通部打ち出し位置２０３に配置された状態に於いて、当該係止片ユニット６００の他方の端部に、当該係止片ユニット６００に当該挿通部打ち出し位置部２０３に向けたバイアス力が常時与えられる様な係止片ユニット押圧部材９が設けられている係止片取付装置２０。【選択図】図３
2010006470.tif 000002
【特許請求の範囲】
【請求項１】
ファイバー部、及び当該ファイバー部の一方の端部に設けられた挿通部と当該ファイバー部の他方の端部に設けられた保持部とからなる係止片を当該挿通部を中空針に挿入して、所定の押し出し手段を介して当該挿通部を当該中空針から押し出すことによって当該挿通部を所定の商品に係止せしめ、ラベル類を当該保持部により当該所定の商品に貼着させる事によって当該ファイバー部に適宜のラベル類を保持させる様に構成されている係止片が複数個相互に隣接して並列的に配列され、少なくとも相互に隣接する当該係止片群の当該挿通部間同士と当該保持部間同士が連結部材を介して相互に接合されることにより、接続バー部を使用することなく、当該複数の各係止片が相互に固定されて、並列状態が維持されている係止片ユニットを使用するための係止片取付装置であって、且つ当該係止片取付装置は、当該係止片取付装置の先端部に設けられた中空針を保持する中空針固定部と、当該中空針固定部と対向して設けられている当該挿通部を当該中空針内に押し出す打出しピン部と、当該中空針固定部と当該打出しピン部との間に設けられている当該挿通部打ち出し位置部とが配置されている係止片取付装置に於いて、当該接続バー部を有しない当該係止片ユニットの一方の端部が、当該挿通部打ち出し位置に配置された状態に於いて、当該係止片ユニットの他方の端部に当接し、当該係止片ユニットに当該挿通部打ち出し位置部に向けたバイアス力が常時与えられる様に構成された係止片ユニット押圧部材が設けられている事を特徴とする係止片取付装置。
【請求項２】
当該係止片取付装置の上面に、当該係止片取付装置の上面に固定して設けられた挿通部挿入溝部の近傍に第１の端部を有し、当該係止片取付装置の上面における当該挿通部挿入溝部から所定の距離だけ変位した部位に固定して設けられた第２の端部を有する湾曲状の係止片ユニットを案内するガイド部材が設けられている事を特徴とする請求項１に記載の係止片取付装置。
【請求項３】
当該ガイド部材は、その中を当該係止片ユニットを構成するそれぞれの係止片に設けられている当該挿通部と当該係止片ユニット押圧部材とが摺動可能に形成された溝部を有している事を特徴とする請求項２に記載の係止片取付装置。
【請求項４】
当該ガイド部材の少なくとも一部には、当該係止片ユニットを構成するそれぞれの当該係止片を構成する当該ファイバー部が通過して摺動出来るスリット部が設けられている事を特徴とする請求項２又は３に記載の係止片取付装置。
【請求項５】
当該係止片ユニット押圧部材は、当該係止片ユニットを当該第２の端部から当該第１の端部方向に向けて当該ガイド部材に沿って前進させる駆動部材を有している事を特徴とする請求項３又は４に記載の係止片取付装置。
【請求項６】
当該駆動部材は、ばね、或いは流体流、電気エネルギー、磁力エネルギー等を利用した機械的機構で構成されている事を特徴とする請求項５に記載の係止片取付装置。
【請求項７】
当該ガイド部材は、少なくとも所定の長さ及び直径を有する当該挿通部を摺動通過せしめるに十分な長さと幅を有する細長矩形をした断面を有する事を特徴とする請求項２乃至６の何れかに記載の係止片取付装置。
【請求項８】
当該ガイド部材は、少なくとも一部が湾曲状に形成された第１の壁部と当該挿通部を摺動通過せしめるに十分な間隔を介して当該第１の壁部と対向する第２の壁部とから構成されており、且つ当該第２の壁部は、当該係止片を構成する当該ファイバー部が通過でき且つ摺動出来る当該スリット部を形成する様に並列的に隣接配置された上部第２壁部材と下部第２壁部材とから構成されている事を特徴とする請求項４乃至７の何れかに記載の係止片取付装置。
【請求項９】
当該上部第２壁部材は、当該下部第２壁部材に対して変位可能に構成されており、少なくとも当該係止片ユニットを当該ガイド部材内部に挿入する際には、当該上部第２壁部材は、通常設定位置より変位して当該ガイド部材の少なくとも一部を開放状態に形成する事を特徴とする請求項８に記載の係止片取付装置。
【請求項１０】
当該係止片ユニット押圧部材は、少なくとも本体部と、当該係止片ユニットの後端部に於ける当該係止片の当該挿通部に当接する前方端部とを有し、当該前方端部は、当該挿通部の直径と同一或いはそれよりも小さい幅を有し、且つ当該挿通部の長さと同一或いは短い長さを持つ矩形断面を有している事を特徴とする請求項５乃至９の何れかに記載の係止片取付装置。
【請求項１１】
当該係止片ユニット押圧部材に於ける当該前方端部は、当該係止片取付装置に於ける上面に於ける当該挿通部挿入溝部開口部から当該挿通部打ち出し位置部までの長さに対応した長さだけ前方に延展せしめられている事を特徴とする請求項１０に記載の係止片取付装置。
【請求項１２】
当該係止片ユニット押圧部材の本体部は、当該第１の壁部の湾曲している上方縁部に沿って案内される事を特徴とする請求項５乃至１１の何れかに記載の係止片取付装置。
【請求項１３】
当該係止片ユニット押圧部材の当該本体部は、当該第１の壁部の上方縁部に跨って搭載配置されている事を特徴とする請求項１２に記載の係止片取付装置。
【請求項１４】
当該係止片ユニット押圧部材の当該本体部に当該駆動部材が係合せしめられている事を特徴とする請求項５乃至１３の何れかに記載の係止片取付装置。
【請求項１５】
当該第１の壁部の当該ガイド部材が形成されている面とは反対側の面に、当該ガイド部材の第１の端部近傍と第２の端部近傍にそれぞれ固定部を有する湾曲状の案内ロッド部を設けると共に、当該係止片ユニット押圧部材の本体部の少なくとも一部を当該案内ロッド部と係合させて、当該係止片ユニット押圧部材を当該案内ロッド部に沿って摺動可能に構成した事を特徴とする請求項２乃至１４の何れかに記載の係止片取付装置。
【請求項１６】
当該案内ロッド部の当該ガイド部材の当該第２の端部近傍部と当該係止片ユニット押圧部材の本体部の当該案内ロッド部と係合している部位との間にバネ部材が設けられている事を特徴とする請求項１５に記載の係止片取付装置。
【請求項１７】
当該係止片ユニット押圧部材を当該第２の端部近傍に係止せしめるストッパー部が当該ガイド部材の当該第２の端部近傍に配置されている事を特徴とする請求項１５又は１６に記載の係止片取付装置。
【請求項１８】
当該上部第２壁部材と下部第２壁部材との少なくとも一方に、当該上部第２壁部材の位置規制手段が設けられている事を特徴とする請求項８乃至１７の何れかに記載の係止片取付装置。
【請求項１９】
係止片ユニット押圧部材を含む、当該湾曲状のガイド部材は、当該係止片取り付け装置の上面に着脱自在に取り付けられている事を特徴とする請求項１乃至１８の何れかに記載の係止片取付装置。
【請求項２０】
当該第１の壁部の、当該溝部と対向する面に、当該第２の壁部に形成された当該スリット部と対向する位置に当該スリット部の形状と実質的に同一の形状を有する凹溝部が設けられている事を特徴とする請求項８に記載の係止片取付装置。
【請求項２１】
当該ガイド部材の一部を構成する当該上部第２壁部材は、その一方の端部が、当該ガイド部材の当該第１の端部又は当該第２の端部の何れか一方の端部に旋回自在に軸支されている事を特徴とする請求項９に記載の係止片取付装置。
【請求項２２】
当該上部第２壁部材の旋回動作に応答して、当該係止片ユニット押圧部材が当該係止片ユニットの押圧動作を開始する部位まで移動せしめられる様に構成されている事を特徴とする請求項２１に記載の係止片取付装置。
【請求項２３】
当該係止片ユニット押圧部材は、当該湾曲状の溝部の湾曲中心点又はその近傍に設けられた回転軸にその一方の端部が旋回自在に軸支されている旋回ロッドの他方の端部に係止されており、当該旋回ロッドの旋回動作に応答して当該ガイド部材内部を摺動する様に構成されている事を特徴とする請求項２２に記載の係止片取付装置。
【請求項２４】
当該旋回ロッドは、当該回転軸に配置されたバネ部材によって、当該係止片ユニット押圧部材が当該ガイド部材に沿って、当該第１の端部に向けて当該係止片ユニットを押圧する様なバイアス力を受けている事を特徴とする請求項２３に記載の係止片取付装置。
【請求項２５】
当該旋回ロッドは、当該上部第２壁部材の旋回動作に応答して、当該第１の端部から当該第２の端部の方向に旋回せしめられる様に構成されている事を特徴とする請求項２１乃至２４の何れかに記載の事を特徴とする係止片取付装置。
【請求項２６】
当該旋回ロッドは、当該上部第２壁部材の旋回動作に応答して、当該第１の端部から当該第２の端部の方向に旋回せしめられた後に、当該第２の端部近傍に配置されているストッパー部と係合する様に構成されている事を特徴とする請求項２５に記載の係止片取付装置。
【請求項２７】
当該上部第２壁部材は、当該第２の端部に旋回自在に軸支されている場合に於いて、当該上部第２壁部材が当該ガイド部材の少なくとも一部を開放している状態から、当該第１の端部に向けて、旋回動作を行う際には、当該旋回ロッドは、当該ストッパー部との係合状態が維持されるように構成されている事を特徴とする請求項２６に記載の係止片取付装置。
【発明の詳細な説明】
【技術分野】
【０００１】
本発明は衣類品、靴下等を一つに束ねたり、商品にその一端部を挿入してブランドラベル、値札、素材説明書、使用説明書等のラベル類を取付ける事ができる係止片を打ち出すことが出来る係止片取付装置に関するものである。
【背景技術】
【０００２】
一般に、衣類品、日常小物、サンダル、靴等を結束したり、当該商品にブランドラベル、値札等を効率的に取り付けるために、従来より、種々の係止片が使用されてきている。
【０００３】
かかる従来に於ける当該係止片１の一具体例の構成を図７に示すが、その構成は、図１７に示す様に、挿通部２と、当該ラベル類等を保持し得る保持部３とが、適宜のファイバー部４の両端部に設けられているものであって、当該係止片１は、適宜の合成樹脂材料を使用して、上記した各構成部分が一体的に成形加工されているものである。
【０００４】
かかる係止片１は、図１８に例示する様に、適宜の商品１０の適宜の部位に、当該ファイバー部４をラベル類５に予め設けられた孔部６に通した後、当該ラベル類５を当該保持部３で保持したまま、当該挿通部２を貫通させる事によって、所定のラベル類５を、当該商品１０に係止させる様にしたものである。
【０００５】
そして、上記した従来の係止片１は、例えば、当該挿通部２、当該保持部３及び当該ファイバー部４とが、通常ナイロン、ポリプロピレン、ポリエステル等の合成樹脂で一体成形されているのである。
【０００６】
処で、上記した係止片１は、例えば、特開平１１−１４３３６７号公報（特許文献１）に示す様に、図１２に示す様な、所定の商品に刺し通して当該係止片１の挿通部２を当該商品の裏側に係止させる中空針２１を有し、レバー２２を操作する事によって、当該中空針２１の中に当該係止片１の挿通部２を挿入し、適宜の押し出し手段を使用して当該係止片の当該挿通部２を当該商品１０に係止させる様に構成されたガンと称される係止片取付装置２０が知られている。
【０００７】
そして、当該係止片１は、一本ずつ当該係止片取付装置２０から打ち出される様に構成されていても良く、或いは図１３（Ａ）に示される様に、個々の当該係止片１が複数個平行に配列された状態で適宜の連結部１１を介して適宜の接続具である接続バー部２４に接合固定されたシート状の形態６００に構成し、図１３（Ｂ）に例示されている様に、当該係止片取付装置２０の上面３１に形成されている接続バー部２４の挿入部４０と挿通部２の挿入溝部３２とにそれぞれ挿入する事により、図１２に示す様に、それぞれの係止片１を個別に且つ連続的に所定の商品に打ち込み、所定のラベル類５を当該商品に係止させる事が出来る。
【０００８】
また、係止片取付装置２０に於ける当該係止片１０を打ち出す機構の一例としては、例えば、特開平６−２６３１２７号公報（特許文献２）或いは特開２０００−３３９２２（特許文献３）に示される様に、図１２に示すレバー２２を操作する事によって、図１４に示す様な機構によって、駆動される打ち出しピン４２が縦溝４１の側方に配設されており、挿通部３を接続バー２４の連結部１１から切り離して、筒状の中空針２１に沿って前方へ一個づつ押し出す様に構成されている。
【０００９】
係る従来の係止片取付装置２０の当該挿通部２を当該中空針２１に押し出す機構を更に詳細に説明するならば、図１４（Ａ）には、従来に於ける当該係止片取付装置２０の当該挿通部２の押し出し機構の一具体例を示しており、より詳細には、図１４（Ｂ）及び図１４（Ｃ）に示される様に、当該係止片取付装置２０は、当該係止片取付装置２０の先端部２０１に設けられた中空針２１を保持する中空針固定部２０２と、当該中空針固定部２０２と対向して設けられている当該挿通部２を当該中空針２０１内に押し出す打出し手段つまり打ち出しピン部４２と、当該中空針固定部２０２と当該打出しピン部４２との間に設けられている当該挿通部打ち出し位置部２０３とが配置されている係止片取付装置に於いて、当該操作レバー２２を操作する事によって、当該操作レバー部２２に連結された軸２０６の周りに旋回する接続レバー２０７の一方の端部２０８が旋回して当該打ち出しピン部からなる打出し手段４２が当該挿通部打ち出し位置部２０３で待機している当該挿通部２押し出して当該中空針２２の内部を通過させる様に構成されている。
【００１０】
尚、従来の中空針の構造の例は、例えば、特開平８−１７１３４９号公報（特許文献４）に示されている様に、当該針部の側面には、当該係止片１の当該フィラメント部（ファイバー部）４が摺動しうる溝部が設けられていると共に当該中空針２１の後端部には適宜のカッター部が配置されているものである。
【００１１】
処で、係る従来の技術に於いては、先ず、接続バー部２４によって当該複数個の係止片１が並列されて形成されている当該係止片ユニット６００を当該係止片取付装置２０の上面部に設けられた当該挿通部２及び当該接続バー部２４をそれぞれの挿入溝部４０及び３２にその先端部を挿入し、図１２に示す様に、係止片ユニット６００を当該係止片取付装置２０の上面部上に上方に向けて延展させながら、個々の係止片１を打ち出し操作を行うものであって、当該接続バー部２４によって、当該係止片ユニット６００は比較的安定して当該係止片取付装置２０の上面部上に上方に向けて安定的に保持されるが、当該係止片ユニット６００の長さが長くなると、操作中に当該係止片ユニット６００が揺動して当該係止片１０の打ち出し操作を不安定にすると共に、当該係止片ユニット６００が当該係止片取付装置２０の上方に延展している事そのものが当該打ち出し操作の邪魔となる。
【００１２】
そのため、特開平１１−１４３３６７号公報（特許文献１）に示す様に、例えば図１５で示す様な当該係止片ユニット６００の配置形状規制ガイド部２２０を当該係止片取付装置２０の上面部に配置して、当該係止片ユニット６００の当該係止片取付装置２０の上面部からの
突出高さを制限すると同時に当該係止片ユニット６００が操作中に揺動して操作の邪魔にならないように安定的に保持させる方法が採用されている。
【００１３】
然も、従来の技術に於いては、打ち込み操作時に当該それぞれの係止片１は当該接続バー部２４に設けられた当該連結部１１から当該中空針２１の適宜の部分に設けられているカッター等の作用によって切り離され、図１４（Ｂ）に示す様に、当該接続バー部２４は、当該連結部１１をともなって当該係止片取付装置２０の下方或いは後方から排出されることになるが、係る接続バー部２４はその場で不要となる為産業廃棄物として廃棄されることになる。
【００１４】
つまり、即ち、従来の係止片ユニット６００にあっては、当該接続バー部２４は確かに当該係止片ユニット６００を安定的に形態保持の為に有効ではあったが、最終的には産業廃棄物として処理せざるを得ない為、当該接続バー部２４そのものがオーバースペックであり原材料を浪費し、当該係止片ユニット６００の製造コストを増大させる事に寄与していると共に、産業廃棄物の廃棄処理の為の余計なコスト及びエネルギーを浪費することになるので、環境保全対策上問題があり、ＣＯ２の排出削減に対して逆行する事態となっていることは明らかである。
【００１５】
更に、従来の当該係止片取付装置２０に於いては、当該接続バー部２４を有する係止片ユニット６００を使用することから、当該個々の係止片１を打ち出す直前には、個々の係止片１の当該挿通部２を確実に当該挿通部打ち出し位置部２０３の位置に配置させておく必要があり、その為に、例えば、特開平６−２６３１２７号公報（特許文献２）に開示され、図１４（Ａ）或いは図１６に示す様な、当該係止片取付装置２０の操作レバー２２の動作に応答して上下方向に揺動する爪部１８０を設け、当該爪部１８０を当該係止片ユニット６００の当該接続バー部２４と当該各係止片１とを連結している連結部材１１に間欠的に係合させて当該係止片１の当該挿通部２を１つずつ下降せしめる様に構成された送り機構を使用するか、当該上下に揺動する爪部１８０に替えて適宜の回転歯車を使用する機構を設ける等が知られている。
【００１６】
然しながら、係る当該挿通部２の送り機構は何れも機構が複雑で構成部品の数も多く、故障が多発し、製造工程での組み立て工程の作業効率を低下させるなどの問題があり、結局製造コストの増大と維持コストの増大を来たしていると言う問題があった。
【００１７】
【特許文献１】特開平１１−１４３３６７号公報
【特許文献２】特開平６−２６３１２７号公報
【特許文献３】特開２０００−３３９２２号公報
【特許文献４】特開平８−１７１３４９号公報
【発明の開示】
【発明が解決しようとする課題】
【００１８】
処で、近年の気候温暖化の影響から、当該係止片１が使用される対象商品の種類や形状が大きく変化してきており、例えば、オーバーや厚地のジャンパー、厚手のシャツ、厚手のセーター類、厚手の下着や厚手の靴下等の商品数が少なくなり、軽量化、或いは薄手化された商品の数が多くなって来ている。
【００１９】
その結果、従来使用されている当該係止片１のスペックでは、オーバースペックとなっている対象商品が増加してきている事から、当該係止片１そのもののスペックを見直す必要が生じてきており、小型化、軽量化、低コスト化された係止片が求められる様になって来ていると同時に、世界的な温暖化現象を防止する観点から、省資源化、産業廃棄物の発生を抑制でき、且つ、ＣＯ２の発生の抑制に繋がる当該係止片１の開発使用が求められてきている。
【００２０】
本願の発明者は、鋭意検討した結果、上記問題を解決し、従来の係止片１のオーバースペック部分を見直し、軽量化、省資源化、更には低コスト化を追及することによって、産業廃棄物の発生を抑制でき、且つＣＯ２の発生の抑制に繋がる当該係止片１を開発すると同時に係る環境に優しい係止片１を専用的に使用する、打ち出し操作が効率的で省資源化、低コスト化を図り、然も環境保全に貢献する係止片取付装置を開発したものである。
【課題を解決するための手段】
【００２１】
先ず、本願発明者は、従来の係止片１及び当該係止片ユニット６００の形状、構造を近年の上記した環境変化を参考にして見直しを行い、ランナーバー、つまり接続バー部２４を有していない係止片ユニット６００であるにも拘らず、形態保持機能が十分備わっており、従って、操作時に、当該係止片構造体が不安的にふらつく事がなく、十分な安定性を呈するので操作効率が優れ、且つ、原材料の使用量を少なくして省資源化を計ると同時に環境汚染が少なく、製造コストも大幅に低減出来るエコタイプの係止片ユニット６００を開発したものである。
【００２２】
更に本願発明者は、従来の係止片１で使用されてきているフィラメント部よりも細いファイバーからなるファイバー部４を使用すると同時に従来使用されてきている横棒部よりも細い横棒部からなる挿通部２を使用し、更には従来使用されてきている頭部の形状よりも面積の小さい保持部３を併用する事によって省資源化に寄与する事が出来る係止片ユニット６００を提供する事が可能となったものである。
【００２３】
本願発明で使用される当該係止片１のファイバー部の直径は、従来の係止片におけるフィラメント部の直径よりも例えば５０％程度細く設計する事が可能であり、又当該保持部３の面積も、従来の係止片における当該保持部の面積よりも例えば５０％程度少なく設計する事も可能である。
【００２４】
本願発明で使用される当該新規構造を有する係止片１及び当該係止片を複数並列化して一体的に構成した係止片ユニット６００の構造例を示すならば、図２に示す通り、当該係止片ユニット６００は、保持部３、該保持部３に接続されたファイバー部４、当該ファイバー部４の該保持部３が接続されている端部とは反対側の端部に設けられ、該ファイバーに略直交する様に設けられている挿通部２とから構成された係止片１が、接続バー部を使用する事無く、当該保持部３及び挿通部２が互いに平行状態になる様に複数個集合してなる構造体であって、相互に隣接する当該保持部３間には、当該隣接する保持部３同士を連結固定する第１の連結部材７が設けられると共に、相互に隣接する当該挿通部２間で当該挿通部２に於けるその長手方向の略中央部には、当該隣接する挿通部２の略中央部分同士を連結固定する第２の連結部材８が設けられている構成を有するものである。
【００２５】
本発明に於いて使用される当該第１の連結部材７及び第２の連結部材８は、同じ構成であっても良い事はいうまでもなく、その形状も図２（Ｂ）に示す様に、棒状、円筒状、或は所定の幅を持った薄膜状であっても良く、又均一な円筒状形状であっても良く、或は図２（Ｃ）に示す様に、円錐状の形状を有しているものであっても良く、その一方の端部に形成された先鋭部１２が隣接する挿通部２と点接合している構造のものであっても良い。
【００２６】
即ち、本発明に於いては、当該第１及び第２の連結部材７及び８は同一の形状であっても良く或は相互に異なる形状を有するものであっても良いが、何れも従来の同様の連結部材よりも、細く或は短く、若しくは薄いものであることが望ましい。
【００２７】
又、本発明に於ける当該連結部８の他の例としては、図２（Ｄ）に示す様に、当該円筒状の連結部８が当該隣接する挿通部２間で斜めに配置される様に構成されたものであっても良く、係る構造とすることによって、当該連結部が容易に切断され、切断効率が向上する。
【００２８】
一方、本発明に於ける当該連結部８の別の例としては、図２（Ｅ）に示す様に、円筒形状の本体８の両端部に先鋭端部１２が設けられている様な構造にする事も可能である。
【００２９】
係る本発明に於ける当該係止片ユニット６００、上記構成によって、従来の係止片ユニットに比べてソフトで曲がり易いという特性を有するものではあるが、従来の係止片取付装置における様に、カッターを使用しなくとも、当該係止片ユニット６００から、それぞれの係止片１を容易に分離させる事が可能である。
【００３０】
一方、本発明に於いて、カッターを使用する場合には、当該第１の連結部材７は、手動或いは僅かな剪断力で容易に分離できる程度の結合力を示すものとして、当該第２の連結部８は、太い円筒形状とするか、フィルム状或いは板状の様に当該挿通部２の略中央部を含めた所定の長さを持つ部材で構成されているものであっても良く、これによって当該係止片ユニット６００が操作中にふらつく事がなく、又流通過程で収納或いは取り出しに際して絡まりが発生する事が防止出来る。
【００３１】
つまり、本願発明に係る当該係止片取付装置は、上記した何れの構成を有する当該係止片ユニット６００の使用出来る様に構成されているのであり、本発明の重要な点は、ランナーバーを有していない当該係止片ユニットを使用するものであるにも拘らず、当該係止片ユニットの長さが長くなっても、操作中に当該係止片構造体シートが不安定な揺動や変位を呈することなく安定した形態を維持し続ける事が出来るので、操作が確実に、且つスムーズに実行できるので、操作効率が高く、然も原材料の使用量が少ない為、省資源化に適し、同時にＣＯ２の排出を削減できるので、低コスト、並びに環境に優しいエコタイプの係止片構造体を容易に得る事が可能である。
【００３２】
更に、本発明に使用される当該係止片ユニット６００では、ファイバー部４、挿通部２及び保持部３は細いファイバー或いは細い面積、細い断面積のものを使用する事が出来るので、より一層低コスト化、省資源化に寄与する事が出来る係止片構造体を得る事が出来る。
【００３３】
そして、本願発明は、上記した新しいスペックを有する係止片ユニット６００を使用して、当該係止片ユニット６００を構成するそれぞれの係止片１を効率的に打ち出すことが可能な係止片取付装置２０を提供するものである。
【００３４】
即ち、本願発明に係る当該係止片取付装置２０は、環境に優しい係止片１を専用的に使用する、機構が簡単で、故障が少なく、保全維持にもコストがかからない、然も打ち出し操作が効率的で省資源化、低コスト化を図り、然も環境保全に貢献する係止片取付装置を提供する事を目的としたもので、基本的には、以下に示す技術構成を有するものである。
【００３５】
つまり、本願発明に係る当該係止片取付装置２０は、挿通部と保持部とがファイバー部の両端部に設けられている係止片の、当該挿通部を中空針に挿入して、所定の押し出し手段を介して当該挿通部を当該中空針から押し出すことによって当該挿通部を所定の商品に係止せしめ、ラベル類を当該保持部により当該所定の商品に貼着させる事によって当該ファイバー部に適宜のラベル類を保持させる様に構成されている係止片が複数個相互に隣接して並列的に配列され、少なくとも相互に隣接する当該挿通部間同士と当該保持部間同士が連結部材を介して相互に接合されることにより、接続バー部を使用することなく、当該複数の各係止片が相互に固定されて、並列状態が維持されている係止片ユニットを使用するための係止片取付装置であって、且つ当該係止片取付装置は、当該係止片取付装置の先端部に設けられた中空針を保持する中空針固定部と、当該中空針固定部と対向して設けられている当該挿通部を当該中空針内に押し出す打出しピン部と、当該中空針固定部と当該打出しピン部との間に設けられている当該挿通部打ち出し位置部とが配置されている係止片取付装置に於いて、当該接続バー部を有しない当該係止片ユニットの一方の端部が、当該挿通部打ち出し位置に配置された状態に於いて、当該係止片ユニットの他方の端部に、当該係止片ユニットに当該挿通部打ち出し位置部に向けたバイアス力が常時与えられる様な係止片ユニット押圧部材が設けられている事を特徴とする係止片取付装置であり、より具体的には、上記した当該係止片取付装置の上面に、当該係止片取付装置の上面に固定して設けられた当該挿通部挿入溝部の近傍に第１の端部を有し、当該係止片取付装置の上面における挿通部挿入溝部から所定の距離だけ変位した部位に固定して設けられた第２の端部を有する湾曲状のガイド部材が設けられていると共に、当該ガイド部材は、その中を当該係止片ユニットを構成するそれぞれの係止片に設けられている当該挿通部と当該係止片ユニット押圧部材が摺動可能な溝部を有している係止片取付装置である。
【発明の効果】
【００３６】
本発明に係る当該係止片取付装置２０は、上記したとおりの技術構成を有しているので、ランナーバーつまり接続バー部を有しないで構成された当該係止片ユニット６００を従来の様な複雑な当該挿通部２の送り機構を使用せずに、当該係止片ユニット６００の後端部を湾曲状のガイド部材に沿って、押圧推進させる機構を使用して簡易な構成でありながら、効率良く、構成部品の少ない製造コストの安価で故障も少ない画期的な係止片取付装置が提供されるのであり、同時にＣＯ２の発生を抑制でき地球環境に優しい、地球温暖化防止に貢献できる係止片取付装置２０を提供する事が可能である。
【発明を実施するための最良の形態】
【００３７】
以下に、本発明に係る係止片取付装置２０の一具体例の構成を、図面を参照しながら詳細に説明する。
【００３８】
即ち、図１は、本発明に係る係止片取付装置２０の一具体例の構成を示す図であって、図中、図２に示される様な、挿通部２と保持部３とがファイバー部４の両端部に設けられている係止片１の、当該挿通部を中空針２１に挿入して、所定の押し出し手段４２を介して当該挿通部２を当該中空針２１から押し出すことによって当該挿通部２を所定の商品に係止せしめ、ラベル類を当該保持部により当該所定の商品に貼着させる事によって当該ファイバー部４に適宜のラベル類を保持させる様に構成されている係止片１が複数個相互に隣接して並列的に配列され、少なくとも相互に隣接する当該挿通部２間同士と当該保持部３間同士が連結部材７、８を介して相互に接合されることにより、接続バー部を使用することなく、当該複数の各係止片１が相互に固定されて、並列状態が維持されている係止片ユニット６００を使用するための係止片取付装置２０であって、且つ当該係止片取付装置２０は、当該係止片取付装置２０の先端部２０１設けられた中空針２１を保持する中空針固定部２０２と、当該中空針固定部２０２と対向して設けられている当該挿通部２を当該中空針２１内に押し出す打出しピン部４２と、当該中空針固定部２０２と当該打出しピン部４２との間に設けられている当該挿通部打ち出し位置部２０３とが配置されている係止片取付装置２０に於いて、当該接続バー部を有しない当該係止片ユニット６００の一方の端部が、当該挿通部打ち出し位置２０３に配置された状態に於いて、当該係止片ユニット６００の他方の端部に、当該係止片ユニット６００の当該他方の端部に当接し、当該係止片ユニット６００に当該挿通部打ち出し位置部２０３に向けたバイアス力を常時与える様な係止片ユニット押圧部材９が設けられている係止片取付装置２０が示されている。
【００３９】
更に具体的には、当該係止片取付装置２０は、図３に示す様に、当該係止片取付装置２０の上面３１に、当該係止片取付装置２０の上面３１に固定して設けられた、当該挿通部２挿入溝部３２の近傍に第１の端部３３を有し、当該係止片取付装置２０の上面３１における挿通部挿入溝部３２から所定の距離だけ変位した部位３４に固定して設けられた第２の端部３５を有する湾曲状のガイド部材３６が設けられている事が望ましい。
【００４０】
上記した通り、本願発明の当該係止片取付装置２０に於ける基本的原理は、図２に示す様な当該接続バー部を使用しないで構成された新規な係止片ユニット６００を従来公知である、使用部品点数も多い揺動式の爪部１８０或いはギア等を使用した複雑な係止片送り機構を使用せず、当該係止片ユニット６００の後端部を適宜の押圧駆動手段５０によって押圧駆動される当該係止片ユニット押圧部材９を当接させ、当該係止片ユニット押圧部材９によって常時当該係止片ユニット６００が当該係止片取付装置２０における当該挿通部打ち出し位置部２０３に向けてバイアスが係るように構成されているものである。
【００４１】
本発明に於いては、上記した通り当該係止片ユニット押圧部材９と湾曲状のガイド部材３６とを有機的に結合させることによって、当該係止片ユニット押圧部材９の押圧力を効果的に当該係止片ユニット６００全体に均等に印加させる事が可能となる。
【００４２】
本発明に於ける当該係止片ユニット押圧部材９を押圧駆動させる駆動手段５０としては特に特定されるものではないが、例えば、ばね、或いは流体流、電気エネルギー、磁力エネルギー等を利用した機械的押圧機構で構成されているものであれば使用する事が可能である。
【００４３】
本発明に於いては、当該ガイド部材３６は、その中を、当該係止片ユニット６００を構成するそれぞれの係止片１に設けられている当該挿通部２と当該係止片ユニット６００の後端部における当該挿通部２に当接している当該係止片ユニット押圧部材９が共に摺動可能な様に構成された溝部５１を有している事が望ましい。
【００４４】
本発明に於ける当該ガイド部材３６の湾曲状の形状は特に限定されるものではなく、当該係止片取付装置２０の大きさ或いはその上面３１の形状、当該係止片ユニット６００の長さ等によって適宜その長さ或いは曲率を選択して決定する事が可能である。
【００４５】
本発明に於ける当該係止片ユニット押圧部材９は、当該係止片ユニット押圧部材９を当該第２の端部３５から当該第１の端部３３の方向に向けて当該ガイド部材３６に沿って前進させる駆動部材５０を有しているものである。
【００４６】
一方、当該湾曲状に形成された当該ガイド部材３６は、図４に示す様に、例えば、相互に対向する第１の壁部５２と第２の壁部５３とが所定の間隔を介して対向して形成された溝部５１を有するものである。
本発明に於ける当該溝部５１は底部５４や上面被覆部５５は有っても無くても良い。
【００４７】
本発明に於ける当該係止片ユニット押圧部材９は、当該挿通部２の直径と同一か或いはそれよりも若干小さめの幅を有し、又当該挿通部２の長さと同一或いはそれよりも短い高さを有している事が望ましい。
【００４８】
つまり、本発明に於ける当該ガイド部材３６の当該溝部５１は、少なくとも所定の長さ及び直径を有する当該挿通部２を摺動通過せしめるに十分な長さと幅を有する溝部或いは細長矩形をした断面を有する溝部であることが望ましい。
【００４９】
更に、本発明に於ける当該ガイド部材３６は、湾曲状に形成された第１の壁部５２と当該挿通部２を摺動通過せしめるに十分な間隔を介して当該第１の壁部５２と対向する第２の壁部５３とから構成されていると共に、当該第２の壁部５３は、当該係止片１を構成する当該ファイバー部４を通過させ且つ摺動させるスリット部５８を形成する様に並列的に隣接配置された上部第２壁部材５７と下部第２壁部材５６とから構成されている事が望ましい。
【００５０】
一方、本発明に於ける当該ガイド部材３６に於いては、当該係止片ユニット６００の当該挿通部２を当該ガイド部材３６の溝部５１内に挿入すると共に、当該挿通部２を当該係止片取付装置２０の上面に設けた当該挿通部挿入スリット３２内に容易に挿通させるために、図５に示すとおり、当該ガイド部材３６を構成する当該上部第２壁部材５７を変位可能に構成せしめるものであり、具体的には、例えば当該上部第２壁部材５７の一方の端部を当該ガイド部材３６の第１の端部３３に対応して当該係止片取付装置２０に設けた任意の軸５９を中心として旋回自在となる様に構成するものであっても良く、又当該ガイド部材３６の第２の端部３５に設けられた適宜の回転軸１０５を中心に旋回自在となる様に構成するものであっても良い。
【００５１】
即ち、本発明に於いては、当該ガイド部材３６の一部を構成する当該上部第２壁部材５７は、その一方の端部が、当該ガイド部材３６の当該第１の端部３３又は当該第２の端部３５の何れか一方の端部に旋回自在に軸支されている構成を有するものであってもよい。
【００５２】
従って、本発明に於いて、先ず、当該係止片取付装置２０に当該係止片ユニット６００を搭載する際には、当該ガイド部材３６の当該上部第２壁部材５７を図５に示す様に上方に変位させて、当該ガイド部材３６の当該溝部５１の一部を開放し、当該溝部５１内に当該係止片ユニット６００の各係止片１に於けるそれぞれの挿通部２を当該溝部５１内に挿通させ、その後当該係止片ユニット６００の先端部を当該係止片取付装置２０の上面３１に設けた当該挿通部挿入溝３２に押し込み、そのまま押し込み操作を継続させて、当該係止片ユニット６００の先端部近傍にある複数個の係止片１のファイバー部４を、当該係止片取付装置２０の側面で当該挿通部挿入溝３２と連通して形成されている垂直状に形成された縦溝４１に挿入させながら、当該係止片ユニット６００の先頭部に於ける当該係止片１の挿通部２が当該係止片取付装置２０に設けた当該挿通部挿入溝３２の底部である当該挿通部打ち出し位置部２０３にまで到達するように手動にて押し込む。
【００５３】
その後、当該ガイド部材３６の当該上部第２壁部材５７を元の位置に戻し、当該ガイド部材３６の後端部である第２の端部３５近傍に設けられた適宜の着脱自在に構成されている結合固定部材６２と係合させて固定する。
尚、当該上部第２壁部材５７を開放する際は、当該上部第２壁部材５７を当該結合固定部材６２から離脱させるものである。
【００５４】
更に、本発明に於いては、当該上部第２壁部材５７を元の位置に戻す際に、戻し操作を容易にし、且つ当該上部第２壁部材５７の配置位置を正常な位置となる様に規制する為に図９に示す様な、当該上部第２壁部材５７と係合する適宜の位置規制手段７２が当該下部第２壁部材５６の適宜の部位に設けられている事も望ましい具体例である。
【００５５】
つまり、当該上部第２壁部材５７を元の位置に戻す際に、当該上部第２壁部材５７を当該位置規制手段７２の内側の面に沿って、当該溝部５１内に挿入するように操作することによって、容易に元の位置まで戻す事が可能となる。
【００５６】
係る手順によって、当該上部第２壁部材５７を元の位置に戻す事によって、当該ガイド部材３６の内部に形成された当該溝部５１内には、所定の長さを有する当該係止片ユニット６００が図３に示す様にセットされる。
【００５７】
その後、予め当該ガイド部材３６の当該溝部５１内に於ける当該第２の端部近傍の所定の部位に当該ストッパー等により、係止固定されている当該係止片ユニット押圧部材９を当該ストッパーから離反させ、それによって適宜の構成を有する当該係止片ユニット押圧部材９を適宜の駆動部材５０を駆動或いは稼動させて、当該溝部５１内を摺動させて、当該溝部５１に既に配置されている当該係止片ユニット６００の後端部に存在する当該係止片１の当該挿通部２に当接させ、当該係止片ユニット押圧部材９のバイアス力によって、当該係止片ユニット６００の先端部は常時当該ガイド部材３６内で当該挿通部打ち出し位置部２０３に向けて押し出し力つまり押圧力を受ける事になる。
【００５８】
その結果、当該打出しピン４２が当該挿通部打ち出し位置部２０３に位置する当該係止片ユニット６００に於ける最先端部の係止片１の当該挿通部２を打ち出して元の位置に戻った後に次の係止片１の当該挿通部２が当該挿通部打ち出し位置部２０３に確実に下降せしめられ、次の打ち出し操作に備える事が可能となる。
【００５９】
本発明に於ける当該係止片ユニット押圧部材９は、図６に示す様に、少なくとも本体部６４と当該係止片ユニット６００の後端部に於ける当該係止片１の当該挿通部２に当接する前方端部６５を有し、当該前方端部６５は、当該挿通部２の直径と同一或いはそれよりも小さい幅Ｗを有し、当該挿通部２の長さと同一或いは短い長さＳを持つ矩形断面を有している事が好ましい。
【００６０】
更に、当該係止片ユニット押圧部材９に於ける当該前方端部６５は、図７に示す様に、当該係止片取付装置２０に於ける上面３１に於ける当該挿通部挿入溝部開口部３２から当該挿通部打ち出し位置部２０３までの長さＬに対応した長さだけ前方に延展せしめられている事が好ましい。
【００６１】
又、本発明に於ける当該係止片ユニット押圧部材９の当該本体部６４の構成は特に限定されるものではないが、当該前方端部６５を当該溝部５１に沿って適宜の駆動部材５０によって前方に向けて摺動出来るように、また打ち出し操作が終了した場合には、容易に当該ガイド部材３６の第２の端部３５の近傍まで戻れる様に構成されていることが望ましい。
【００６２】
本発明に於ける別の具体例としては、当該係止片ユニット押圧部材９の構成は、必ずしも当該本体部６４と当該前方端部６５とで構成される必要はなく、例えば、当該本体部６４と当該前方端部６５とが一体的に構成された構造を有するものであっても良い。
【００６３】
その場合、当該本体部６４は、適宜の外観形状を呈し、その厚みや幅、及び長さの最大値が、図６（Ａ）の当該前方端部６５に関する規格内に入る仕様であれば、使用可能である。
【００６４】
本発明に於ける当該係止片取付装置２０に於いては、当該挿通部２を打ち出す毎に、当該相互に隣接する挿通部２間に形成されている第２の連結部材８を切断するための適宜のカッター部７０を当該中空針２１の後端部に設けることが望ましい。
【００６５】
そして、本発明に於ける当該中空針２１に配置される当該カッター部７０の配置位置は当該特許文献４で示される公知の中空針２１に於けるカッター部の配置位置とは図８に示す様に、略９０度回転した位置関係になるように配置される事が必要である。
【００６６】
或は、当該カッター部は、当該挿通部２を打ち出す操作に応答して、当該相互に隣接する挿通部２間に進出し、その後その位置から退出できる様な適宜の機構を採用するものであっても良い。
更に、上記した通り、本発明に於いては、当該カッターを使用しない当該係止片取付装置を使用することも可能である。
【００６７】
次に、本発明に於いて使用される当該係止片ユニット押圧部材９の具体的構成例を図面を参照しながら詳細に説明する。
【００６８】
即ち、図１０に示す様に、本発明に於ける当該係止片ユニット押圧部材９の一具体例としては、当該係止片ユニット押圧部材９の本体部６４は、当該第１の壁部５２の湾曲している上方縁部７４に沿って案内される様に構成されているものである。
【００６９】
より具体的には、図１０に示す通り、当該係止片ユニット押圧部材９の当該本体部６４には、Ｕ字状に形成された張り出し部７５が設けられており、当該張り出し部７５が当該第１の壁部５２の上方縁部７４に跨って搭載配置されて且つ当該上方縁部７４に沿って摺動出来るように構成されているものである。
【００７０】
そして、本発明に於ける当該係止片ユニット押圧部材９の当該本体部６４に当該駆動部材５０が係合せしめられているものであるが、より具体的には、当該張り出し部７５の一部に当該係止片ユニット押圧部材９を押圧駆動する適宜の駆動部材５０が係合されている。
此処で、本発明に於ける当該係止片ユニット押圧部材９と当該駆動部材５０との係合構造の一具体例を図１１を参照しながら説明する。
【００７１】
即ち、図１１に示されている様に、当該第１の壁部５２の当該ガイド用溝部５１が形成されている面とは反対側の面に、当該ガイド部材３６の第１の端部３３近傍と第２の端部３５近傍にそれぞれ固定部を有する湾曲状の金属製或いはプラスチック製の案内ロッド部７６を設けると共に、当該係止片ユニット押圧部材９の本体部６４の当該張り出し部７５の少なくとも一部、例えば当該張り出し部７５に設けられた貫通孔６３を当該案内ロッド部７６と係合させて、当該係止片ユニット押圧部材９を当該案内ロッド部７６に沿って摺動可能に構成すると共に、当該案内ロッド部７６の当該ガイド部材３６の当該第２の端部３５近傍部と当該係止片ユニット押圧部材９の本体部の一部である当該張り出し部７５の当該案内ロッド部７６と係合している部位との間にバネ部材７７が当該案内ロッド部７６を巻き廻す様にとりつける構成を有している。
【００７２】
更に、本発明に於いては、当該係止片１の打ち出し操作が完了し、次の係止片ユニット６００を当該係止片取付装置２０に搭載して次の打ち出し操作の準備をする間、当該係止片ユニット押圧部材９を当該第２の端部３５近傍に一時的に係止せしめるストパー部７８が当該第２の端部近傍に配置されている事も望ましい具体例である。
【００７３】
係るストッパー部７８の機構は特に限定されるものではなく、当該駆動部材５０の押圧力に抗して当該係止片ユニット押圧部材９を係止せしめる機能を有し、又容易にその係止状態を解除する事が可能な機構のものであれば如何なる構造のものでも使用可能である。
【００７４】
さらに、本発明に於いては、当該係止片ユニット押圧部材９を含む、当該湾曲状のガイド部材３６は、当該係止片取り付け装置２０の上面３１に着脱自在に取り付けられる様に構成されている事が好ましい。
【００７５】
一方、本発明に係る当該係止片取り付け装置２０に於いて、当該第１の壁部５１の、当該溝部５１と対向する面８０に、当該第２の壁部５３に形成された当該スリット部５８と対向する位置に当該スリット部５８の形状と実質的に同一の形状を有する凹溝部８１が設けられている事も好ましい具体例である。
【００７６】
かかる構成は、例えば、当該係止片ユニット６００に於ける各係止片１の当該挿通部２の特に当該壁部５２と対向する部分に、突起或はひげ部又は傷部が存在することが多く、その為に、当該係止片ユニット６００の当該溝部５１内部を円滑に摺動する事が妨げられる事がありうるので、係る問題を解決する際に有効な手段となる。
次に、本発明に係る当該係止片取付装置の他の具体例の構成に付いて図１９乃至図２５を参照しながら詳細に説明する。
【００７７】
即ち、本具体例の当該係止片取付装置２０に搭載される当該ガイド部材３６の基本的な構成は、前記した具体例の構成と実質的に同一であるが、当該上部第２の壁部５７の旋回固定軸の位置、当該係止片ユニット押圧部材９の形状、構造、当該係止片ユニット押圧部材９の駆動機構、及び当該上部第２の壁部５７の動作と当該係止片ユニット押圧部材６の動作とを一時的に同期させる機構等で両者は異なっている。
【００７８】
図１９乃至図２３から明らかな様に、本具体例に係る当該該係止片取付装置２０の上面から上方に略垂直に延展している支持基板部１０４の周縁部に本発明に係る当該ガイド部材３６が形成されると共に、当該支持基板１０４の下端部中央部近傍に、当該係止片ユニット押圧部材９を駆動する旋回ロッド１１０の一端部を適宜の旋回軸１１１を介して取り付けた構造を有し、更に当該支持基板１０４は、適宜の保持部材１０１、１０２、１０３等を介して、当該係止片取付装置２０の上面３１に着脱自在に取り付けられるように構成されている。
【００７９】
即ち、本具体例に於ける当該ガイド部材３６は、図１９に示す様に、当該係止片取付装置２０の上面３１に、当該係止片取付装置２０の上面３１に固定して設けられた支持基盤１０４を介して、当該挿通部２の挿入溝部３２の近傍に第１の端部３３を有し、当該係止片取付装置２０の上面３１における挿通部挿入溝部３２から所定の距離だけ変位した部位３４に固定して設けられた第２の端部３５を有する湾曲状のガイド部材３６が設けられている。
【００８０】
本具体例で前記具体例と異なる処は、当該上部第２の壁部５７の一方の端部が、当該第２の端部３５近傍に適宜の回転軸１０５を中心として旋回出来る様に軸支されている。
係る具体例では、オペレーターは、当該上部第２の壁部５７の他方の端部に設けた適宜の操作片１０６を使用して当該上部第２の壁部５７を持ち上げて当該ガイド部材３６内の溝部５１を開放することが出来る。
【００８１】
そして、本具体例では、上記操作によって、当該係止片取付装置２０に設けられている当該係止片ユニット６００の挿入縦溝部４１の近傍が完全に開放されるので、オペレーターによる当該係止片ユニット６００の当該挿入縦溝部４１への挿入操作は極めて容易となるので、作業効率が向上する。
【００８２】
又、本具体例に係る当該係止片ユニット押圧部材９の駆動手段５０としては、前記具体例では、つるまきバネ７７が使用されていたが、本具体例では、上記した通り、当該支持基板１０４の下端部中央部近傍に設けた適宜の旋回軸１１１を介して旋回自在に取り付けた旋回ロッド１１０の自由端部に当該係止片ユニット押圧部材９をとりつけ、当該旋回ロッド１１０の旋回動作を利用して、当該係止片ユニット押圧部材９を当該ガイド部材３６の溝部５１内を摺動させ、それによって当該係止片ユニット６００の端部に当接させながら、当該係止片ユニット６００に常時当該第１の端部３３の方向にバイアス力を与える様に構成するものである。
【００８３】
その為に、本具体例では、当該旋回軸１１１にコイルスプリング１１２を設け、当該旋回ロッド１１０が、常時当該第１の端部３３方向に旋回するようなバイアス力を付与する様に構成しておく事が望ましい。
【００８４】
尚、本具体例に於いては、当該係止片取付装置２０の操作開始直前には、当該旋回ロッド１１０が、当該ガイド部材３６の第２の端部近傍に配置されて、そこに静止されている事が望ましく、その為、当該ガイド部材３６の第２の端部近傍に於ける当該支持基盤１０４の一部に当該旋回ロッド１１０の一部と係合する適宜のストッパー部７８を設けておくことも望ましい。
【００８５】
一方、本具体例に於いて使用される当該係止片ユニット押圧部材９の構造は、前記した具体例に於ける当該係止片ユニット押圧部材９よりも簡素化されており、前記した様に、本具体例で使用される当該係止片ユニット押圧部材９の構造は、図６（Ｄ）に示される様なものであっても良い。
【００８６】
尚、本具体例に於いて使用される当該係止片ユニット押圧部材９の平面形状は、例えば、図６（Ｄ）に示される様に、当該係止片ユニット押圧部材９が当該溝部５１内を当該旋回ロッド１１０によって摺動せしめられる際に、当該溝部５１の湾曲形状内を円滑に摺動できる形状である事が望ましい。
【００８７】
又、当該係止片ユニット押圧部材９の長さＬ’は、当該旋回ロッド１１０が当該ガイド部材３６の第１の端部３３に最も接近した状態において、当該係止片ユニット押圧部材９の先端部Ｐが、当該係止片ユニット６００に於ける最後端部の当該挿入部２を、所定の当該挿通部打ち出し位置２０３に配置挿入できる様な長さに設定されている必要がある。
【００８８】
更に、本具体例では、図２３に示す様に、当該上部第２の壁部５７は、当該溝部５１の上方部を被覆する上方被覆部材１１５と当該上方被覆部材１１５に連接された当該支持基盤１０４の裏面部１１７の上端縁部１１８の一部と重複する案内板１１６とが一体化されて逆Ｕ字状の断面形状を有する可動部１１９を形成するものであっても良い。
【００８９】
尚、当該可動部１１９を構成する当該上部第２の壁部５７は、その先端部の内壁に適宜の突起係合部１０８を形成しておき、当該上部第２の壁部５７が配置固定される当該支持基盤１０４の外周縁部の一部に当該突起係合部１０８と着脱自在に嵌合し得る、適宜の嵌合部１０７を設けておくことによって、当該上部第２の壁部５７の配置状態を安定させる事が可能となる。
【００９０】
次に、本具体例の更なる特徴は、当該上部第２壁部材５７の旋回動作に応答して、当該係止片ユニット押圧部材９が当該係止片ユニット６００の押圧動作を開始する部位まで自動的に移動せしめられる様に構成されている事にある。
【００９１】
具体的には、上記した当該旋回ロッド１１０は、当該上部第２壁部材５７の旋回動作に応答して、当該第１の端部３３から当該第２の端部３５の方向に旋回せしめられる様に構成されているものである。
【００９２】
即ち、当該旋回ロッド１１０は、当該上部第２壁部材５７の旋回動作に応答して、当該第１の端部３３から当該第２の端部３５の方向に旋回せしめられた後に、当該第２の端部３５近傍に配置されているストッパー部７８と係合する様に構成されている。
【００９３】
更に、当該上部第２壁部材５７は、当該第２の端部３５に旋回自在に軸支されている場合に於いて、当該上部第２壁部材５７が当該ガイド部材３６の少なくとも一部を開放している状態から、当該第１の端部３３に向けて、旋回動作を行う際には、当該旋回ロッド１１０は、当該ストッパー部７８との係合状態が維持されるように構成されている事も望ましい具体例である。
【００９４】
より具体的には、図１９乃至図２３から明らかな様に、当該支持基板１０４の略中央部で当該旋回ロッド１１０の旋回軸１１１が設けられている上方部に適宜の湾曲形状を有するスリット部１２２が設けられており、且つ当該スリット部１２２内に一端部１２３が摺動自在に挿入され、他端部１２０が当該上部第２の壁部５７と一体化されている当該案内板１１６の一部に固定されている接続線条体１２１を設け、当該第２の壁部５７が当該第２の端部３５を中心に旋回する際に、当該スリット部１２２内に挿入されている当該接続線条体１２１の一端部１２３が当該スリット部１２２に沿って移動できるように構成されている。
【００９５】
一方、当該旋回ロッド１１０の一部が当該スリット部１２２から突出している当該接続線条体１２１の一方の端部１２３と係合せしめられている様に構成しておくことによって、当該上部第２の壁部５７が、旋回して当該ガイド部材３６の当該溝部５１を閉鎖している状態から、開放した状態にする際に、当該上部第２の壁部５７の旋回動作に同期して、自動的に当該旋回ロッド１１０も、当初の位置、即ち当該第１の端部に近接している位置から当該第２の端部３５に向けて旋回動作を行い、最終的に、当該上部第２の壁部５７の旋回動作が終了する時点では、当該旋回ロッド１１０の旋回動作も終了して、当該旋回ロッド１１０は、所定のストッパー部７８と係合して静止せしめられる。
【００９６】
本具体例の操作手順を説明するならば、先ず、操作開始時点では、当該係止片取付装置２０の当該ガイド部材３６に於いて、当該上部第２の壁部５７は、図１９に示す様に、その係合突起部１０８が当該支持基板１０４の外周縁部に設けられた嵌合部１０７と接合して当該下方第２の壁部５６と対向して所定のスリット部５８を形成した状態で静止しており、一方、当該旋回ロッド１１０は、図１９の実線で示す様な状態で、当該ガイド部材３６の第１の端部３３の近傍に配置せしめられている。この際当該旋回ロッド１１０は、所定の位置決め部１１３と係合し、所定の配置位置が定められる様に構成されている。
【００９７】
又、係る状態に於いては、当該旋回ロッド１１０の先端部に取り付けられている当該係止片ユニット押圧部材９は、当該係止片取付装置２０の挿入部挿入溝３２内に完全に挿入され、その先端部Ｐは、当該係止片取付装置２０に於ける当該挿通部打ち出し位置部２０３に到達した状態にある。
【００９８】
一方、接続線条体１２１は、図２０及び図２１に示す様に、その一方の端部１２３は、当該スリット部１２２内に設けられて当該スリット部１２２から突出した部分が当該旋回ロッド１１０の内壁面１３０と係合しており、その他端部１２０が当該上部第２の壁部５７に連接している案内板１１６に接続されている。
尚、図中、１３１は、補助板であって、当該スリット部１２２に係合している当該接続線条体１２１が脱落しないように支持する機能を有するものである。
【００９９】
係る状態から、当該ガイド部材３６の当該溝部５１を開放して、当該係止片ユニット６００を当該ガイド部材３６内に挿入する為に、当該上部第２の壁部５７を上方に持ち上げながら当該第２の端部３５の旋回軸１０５を中心に旋回させると、当該案内板１１６に接合されている当該接続線条体１２１が当該上部第２の壁部５７の動きに応答して当該スリット部１２２内部に嵌入している当該接続線条体１２１の一端部１２３が当該スリット部１２２内を摺動し、それによって、当該接続線条体１２１の一端部１２３と係合している当該旋回ロッド１１０が当該旋回軸１１１を中心として旋回を始め、それによって当該係止片ユニット押圧部材９も当該ガイド部材３６の当該溝部５１内部を当該第２の端部方向に向けて摺動せしめられる。
【０１００】
そして、当該上部第２の壁部５７が、所定の角度旋回して最終旋回位置に到達すると、当該旋回ロッド１１０も所定の部位に到達し、点線で示す様に、予め当該支持基板１０４に設けられているストッパー部７８と係合して静止する。
【０１０１】
次に、係る状態に於いて、オペレータは、当該第１の端部３３に於いて、所定の長さに形成された当該係止片ユニット６００を当該開放されガイド部材３６の当該溝部５１に沿って当該係止片取付装置２０の当該挿入縦溝部４１へ挿入操作を行い、その後、当該係止片ユニット６００を当該ガイド部材３６の下部第２の壁部５６が形成する湾曲面に沿って配置した後、当該上部第２の壁部５７を当該第１の端部３３に向けて逆方向に旋回させ、当該ガイド部材３６の当該溝部５１を閉鎖して初期の状態に戻る。
【０１０２】
この際、当該旋回ロッド１１０と当該スリット部１２２から突出した当該接続線条体１２１の先端部１２３との係合が外れ、当該接続線条体１２１の先端部１２３は、当該上部第２の壁部５７の旋回動作に同期して当該スリット部１２２に沿って初期の位置に戻るが、当該旋回ロッド１１０は、ストッパー７８に係合しているので、そのままの状態を維持する。
【０１０３】
その後、オペレーターが所定の操作によって、当該ストッパー７８と当該旋回ロッド１１０との係合を解除すると、当該旋回ロッド１１０の旋回中心軸１１１に設けられたコイルスプリング１１２の作用によって、当該旋回ロッド１１０は、当該第１の端部３３の方向に旋回する力を付与されるので、当該旋回ロッド１１０の先端部に設けられている当該係止片ユニット押圧部材９が当該ガイド部材３６の当該溝部５１内に配置されている当該係合片シート６００の後端部にある当該挿入部２を押圧し、当該係合片シート６００全体に、当該第１の端部３３方向に向けたバイアス力が常時付与されることになる。
【図面の簡単な説明】
【０１０４】
【図１】図１は、本発明に於ける係止片取付装置と係止片ユニットとの関係を説明する図である。
【図２】図２は、本発明に使用される係止片ユニットの一具体例の構成を示す図である。
【図３】図３は、本発明に於いて使用される係止片取付装置の一具体例の構成を説明する図である。
【図４】図４は、本発明に係る当該アタッチメントに設けられるガイド部材の一具体例の構成を示す図である。
【図５】図５は、本発明に係る当該ガイド部材の詳細な構成を示す図である。
【図６】図６は、本発明に係る当該係止片取付装置に使用される係止片ユニット押圧部材の構成の一例を示す図である。
【図７】図７は、本発明に係る当該係止片取付装置に使用される係止片ユニット押圧部材の構成の一例を示す側面図である。
【図８】図８は、本発明に係る当該係止片取付装置に使用される中空針の一具体例を示す図である。
【図９】図９は、本発明に係る当該ガイド部材のより詳細な構成を示す側面図である。
【図１０】図１０は、本発明に係る当該係止片取付装置に使用される係止片ユニット押圧部材の構成の一例を示す断面図である。
【図１１】図１１は、本発明に係る当該係止片ユニット押圧部材の一具体例の構成を説明する図である。
【図１２】図１２は、従来に於ける係止片取付装置の構成及びその使用状態を説明する図である。
【図１３】図１３は、従来に於ける係止片取付装置の構成及び係止片ユニットの構造を説斜視図である。
【図１４】図１４は、従来に於ける係止片取付装置に於ける挿通部打ち込み操作の一例を説明する構成及び係止片ユニットの構造を説明する図である。
【図１５】図１５は、従来に於ける係止片取付装置に使用される係止片ユニットの規制ガイド部の構成を説明する図である。
【図１６】図１６は、従来に於ける係止片取付装置に使用される係止片ユニットの送り機構の一例を示す側面図である。
【図１７】図１７は、従来に於ける係止片取付装置に使用される係止片の構成を説明する図である。
【図１８】図１８は、従来に於ける係止片の使用例を示す図である。
【図１９】図１９は、本発明に係る当該ガイド部材の他の具体例の構成を説明する図である。
【図２０】図２０は、本発明に係る当該ガイド部材の他の具体例の構成を説明する図である。
【図２１】図２１は、本発明に係る当該ガイド部材の他の具体例の構成を説明する図である。
【図２２】図２２は、本発明に係る当該ガイド部材の他の具体例の構成を説明する図である。
【図２３】図２３は、本発明に係る当該ガイド部材の他の具体例の構成を説明する図である。
【符号の説明】
【０１０５】
１  係止片
２  挿通部
３  保持部
４  ファイバー部
５  ラベル類
７  連結部材
８  連結部材
９  係止片ユニット押圧部材
１０  商品
１１  連結部
２０  係止片取付装置
２１  中空針
２２  レバー
２４  接続バー部
３１  係止片取付装置の上面部
３２  挿通部挿入溝部
３６  ガイド部材
４０  接続バー部挿入溝部
４１  縦溝部
５０  駆動部材
５１  溝部
５２  第１の壁部
５３  第２の壁部
５４  溝底部
５５  溝被覆部材
５６  下部第２壁部材
５７  上部第２壁部材
５８  スリット部
５９  回転軸
６２  結合固定部材
６３  張り出し部の貫通孔
６４  係止片ユニット押圧部材の本体部
６５  前端部
７５  張り出し部
７６  案内ロッド部
７７  バネ部材
７８  ストッパー部
１０４  支持基板部
１１０  旋回ロッド
１１１  旋回軸
１０１、１０２、１０３  保持部材
１０５  回転軸
１０６  操作片
１１２  コイルスプリング
１１５  上方被覆部材
１１６  案内板
１１７  支持基板の裏面部
１１８  上端縁部
１１９  可動部
１０７  嵌合部
１０８  突起係合部
１２２  スリット部
１２１  接続線条体
１３０  旋回ロッドの内壁面
６００  係止片ユニット
【図１】
2010006470.tif 000003
【図２】
2010006470.tif 000004
【図３】
2010006470.tif 000005
【図４】
2010006470.tif 000006
【図５】
2010006470.tif 000007
【図６】
2010006470.tif 000008
【図７】
2010006470.tif 000009
【図８】
2010006470.tif 000010
【図９】
2010006470.tif 000011
【図１０】
2010006470.tif 000012
【図１１】
2010006470.tif 000013
【図１２】
2010006470.tif 000014
【図１３】
2010006470.tif 000015
【図１４】
2010006470.tif 000016
【図１５】
2010006470.tif 000017
【図１６】
2010006470.tif 000018
【図１７】
2010006470.tif 000019
【図１８】
2010006470.tif 000020
【図１９】
2010006470.tif 000021
【図２０】
2010006470.tif 000022
【図２１】
2010006470.tif 000023
【図２２】
2010006470.tif 000024
【図２３】
2010006470.tif 000025